(57)【要約】  パケットデータサービングノード（１０６）は、少なくとも１つのパケットデータサービスに関連付けられたパケットデータセッションパラメータを含むセッション更新メッセージを、無線アクセスネットワーク（１１０）の一部であり得るパケット制御機能（１１１）に渡すことによってパケットデータセッション更新手順をＲＡＮについて開始する。セッションパラメータは、パケットデータサービス非活動タイマ、ＱｏＳパラメータ、ユーザ情報、または任意の他のセッション関連のパラメータを含み得る。パケット制御機能（１１１）は、ＰＳＤＮコードを調べて、ＰＣＦ（１１１）とＰＤＳＮ（１０６）の間のリンク（Ａ１０／Ａ１１）を解除することを禁止する。さらに、ハンドオフが発生した場合には、ＢＳは、各サービスインスタンスに関連付けられたパケットデータセッションパラメータをＭＳＣに渡し、ＭＳＣは次にそれらをハンドオフのターゲットＢＳに渡す。
2005515707.tif 000002
【特許請求の範囲】
【請求項１】
移動通信システムにおいて、パケットデータサービングノードから無線アクセスネットワークへシステムパラメータを送信する方法であって、
移動局のドーマント／アクティブセッションを前記パケットデータサービングノードに対して確立するステップと、
前記パケットデータサービングノードにより、少なくとも１つのシステムパラメータを取得するステップと、
パケットデータサーバと無線アクセスネットワーク間のリンクを喪失することなく、前記パケットデータサービングノードから前記無線アクセスネットワークに前記少なくとも１つのシステムパラメータを送信するステップと
からなる方法。
【請求項２】
前記少なくとも１つのシステムパラメータを送信するステップは、前記少なくとも１つのシステムパラメータを含むセッション更新メッセージを送信するステップを含む、請求項１記載の方法。
【請求項３】
前記無線アクセスネットワークにより、前記更新メッセージを承認するステップをさらに含む、請求項２記載の方法。
【請求項４】
前記無線アクセスネットワークから前記パケットデータサーバへの接続解除を禁止するステップをさらに含む、請求項３記載の方法。
【請求項５】
前記承認ステップは、前記更新メッセージの特定フィールドが予め設定された値と等しく設定されていることを承認するステップを含む、請求項３記載の方法。
【請求項６】
少なくとも１つのパケットデータサービスが確立されている、請求項２記載の方法。
【請求項７】
前記少なくとも１つのシステムパラメータが、サービス品質（ＱｏＳ）パラメータである、請求項１記載の方法。
【請求項８】
前記少なくとも１つのシステムパラメータが、前記少なくとも１つのパケットデータサービスに関連付けられた非活動タイマである、請求項６記載の方法。
【請求項９】
前記非活動タイマは、前記少なくとも１つのパケットデータサービスに関連付けられたパケットデータ非活動タイマを含み、
呼によってサポートされ、前記少なくとも１つのパケットデータサービスに関連付けられた前記パケットデータ非活動タイマを維持するステップをさらに含む、
請求項８記載の方法。
【請求項１０】
前記無線アクセスネットワークは、パケット制御機能と、前記パケット制御機能に接続された基地局とを含み、
前記更新メッセージを送信するステップは、
第１の更新メッセージを前記パケットデータサービングノードから前記パケット制御機能に送信するステップと、
第２の更新メッセージを前記パケット制御機能から前記基地局に送信するステップとを含む、
請求項９記載の方法。
【請求項１１】
前記第２の更新メッセージを送信するステップに応答して、第２の更新メッセージの確
認を前記基地局から前記パケット制御機能に送信するステップと、
前記第２の更新メッセージを送信するステップに応答して、第１の更新メッセージの確認を前記パケット制御機能から前記パケットデータサーバに送信するステップと、
をさらに含む、請求項１０記載の方法。
【請求項１２】
パケットデータサービングノード（ＰＤＳＮ）から、基地局（ＢＳ）を含む無線アクセスネットワーク（ＲＡＮ）にパケットデータセッションパラメータを送信する方法であって、
少なくとも１つのパケットデータサービスを得るために、移動局（ＭＳ）から前記ＲＡＮを通り前記ＰＤＳＮに至るパケットデータセッションを確立するステップと、
前記少なくとも１つのパケットデータサービスを得るために、前記ＰＤＳＮにより、少なくとも１つのパケットデータセッションパラメータを取得するステップと、
前記ＰＤＳＮにより、前記少なくとも１つのパケットデータセッションパラメータを含むセッション更新メッセージを生成するステップと、
からなる方法。
【請求項１３】
前記パケットデータセッションパラメータは、パケットデータ非活動タイマを含む、請求項１２記載の方法。
【請求項１４】
前記パケットデータセッションパラメータは、サービス品質（ＱｏＳ）パラメータ、ユーザプロファイル情報、または他のセッションパラメータの少なくとも１つを含む、請求項１２記載の方法。
【請求項１５】
前記セッション更新メッセージは、少なくとも１つのＰＤＳＮコードを含むＡ−１１登録更新メッセージを含む、請求項１２記載の方法。
【請求項１６】
前記ＰＤＳＮにより、セッション更新メッセージをＰＣＦに送信するステップと、
前記ＰＤＳＮにより、セッション更新タイマを始動するステップと、
をさらに含む、請求項１２記載の方法。
【請求項１７】
前記セッション更新メッセージの前記パケットデータセッションパラメータにより、更新と接続解除とを区別するステップをさらに含む、請求項１６記載の方法。
【請求項１８】
前記ＰＣＦにより、前記セッション更新メッセージを承認するステップと、
特定のＰＤＳＮコードの承認に応答して、前記ＰＣＦにより、前記ＰＤＳＮの接続解除断を禁止するステップと、
をさらに含む、請求項１７記載の方法。
【請求項１９】
前記ＰＣＦにより、新しい理由値と前記パケットデータセッションパラメータを含むＡ９−更新−Ａ８メッセージを前記基地局に送信するステップと、
前記ＰＣＦにより、セッション更新タイマを始動するステップと、
をさらに含む、請求項１２記載の方法。
【請求項２０】
前記Ａ９−更新−Ａ８メッセージに応答して、基地局により、Ａ９−更新−Ａ８応答メッセージを前記ＰＣＦに送信するステップと、
前記ＰＣＦにより、前記セッション更新タイマを停止するステップと、
をさらに含む、請求項１９記載の方法。
【請求項２１】
Ａ９セッション更新応答メッセージに応答して、前記ＰＣＦにより、セッション更新応答メッセージを前記ＰＤＳＮに送信するステップと、
前記ＰＤＳＮにより、セッション更新タイマを停止するステップと、
をさらに含む、請求項２０記載の方法。
【請求項２２】
前記ＰＣＦが前記セッション更新応答メッセージで応答しない場合、前記ＰＤＳＮにより、前記セッション更新メッセージを前記ＰＣＦに構成可能な回数再送するステップと、
前記ＰＤＳＮにより、前記セッション更新タイマを再開するステップと、
をさらに含む、請求項２１記載の方法。
【請求項２３】
前記生成ステップは、接続更新用の特定の値と等しいＰＤＳＮコードを、前記Ａ−１１登録更新メッセージに設定するステップを含む、請求項１５記載の方法。
【請求項２４】
前記生成ステップは、アプリケーションタイプと、アプリケーションサブタイプおよびＰＤＳＮコードとについて、アプリケーションデータフィールドを、前記Ａ１１−登録更新メッセージに設定するステップを含む、請求項２３記載の方法。
【請求項２５】
前記生成ステップは、前記セッション更新メッセージに、前記アプリケーションデータフィールドが前記セッションパラメータを含むことを示すアプリケーションタイプフィールドと、セッションパラメータの形式を示すアプリケーションサブタイプフィールドと、少なくとも１つのセッションパラメータを含むアプリケーションデータフィールドと、を含ませるステップを含む請求項１２記載の方法。
【請求項２６】
前記アプリケーションサブタイプフィールドは、非活動タイマパラメータを示し、前記アプリケーションデータフィールドは、非活動タイマを含む、請求項２５記載の方法。
【請求項２７】
パケットデータサービングノード（ＰＤＳＮ）からパケット制御機能（ＰＣＦ）に、パケットデータサービス非活動タイマを送信する方法であって、前記ＲＡＮが基地局（ＢＳ）を含む方法において、
少なくとも１つの領域用に、移動局（ＭＳ）から前記ＲＡＮおよび前記パケット制御機能（ＰＣＦ）を通り前記ＰＤＳＮに至るドーマント／アクティブセッションを確立するステップと、
前記少なくとも１つのパケットデータサービスを得るために、前記ＰＤＳＮにより、パケットデータサービス非活動タイマを取得するステップと、
前記ＰＤＳＮにより、特定のセッションパラメータを含むセッション更新メッセージを前記ＰＣＦに転送するステップと、
前記ＢＳによりハンドオフが必要とされるかどうかを判定するステップと、
ＢＳにより、モバイルによってサポートされた各パケットデータサービスのセッションパラメータを含むハンドオフ要求メッセージを移動交換局（ＭＳＣ）に送信するステップと、
からなる方法。
【発明の詳細な説明】
【技術分野】
【０００１】
本発明は移動通信に関し、特に、パケットデータ通信セッション中のパケットデータパラメータの転送に関する。
【背景技術】
【０００２】
移動局（ＭＳ）は、無線アクセスネットワーク（ＲＡＮ）、およびパケットデータサービングノードによって接続し、電子メール、ストリーミングビデオ、またはウェブブラウジングパケットデータサービスのようなパケットデータアプリケーションにアクセスする。パケットデータ非活動タイマ（ｉｎａｃｔｉｖｉｔｙ  ｔｉｍｅｒ）が、ネットワークによってサポートされた種々のパケットデータサービスに関連付けられている。アクティブサービスインスタンスの１つに関連付けられたパケットデータ非活動タイマがタイムアウトすると、基地局（ＢＳ）は、呼に関連付けられたすべてのトラフィックチャンネルを解放して、パケットデータサービス状態をアクティブ／接続された状態からドーマント状態に遷移させる。
【０００３】
３ＧＰＰ２／ＴＳＧ−Ｓ規格開発機構（３ＧＰＰ２／ＴＳＧ−Ｓ  Ｓｔａｎｄａｒｄｓ
Ｄｅｖｅｌｏｐｍｅｎｔ  Ｏｒｇａｎｉｚａｔｉｏｎ）は、最近になって、パケットデータセッションドーマントタイマ機能（ＲＣ−ＰＤＳＤＴ）を構成する領域の使用を承認した。これによって、使用されるパケットアプリケーションの種類、サービスに対応付けられたサービス品質、ユーザプロファイル情報、または他のセッションに関連するパラメータで、パケットデータ非活動タイマを構成することが可能になる。非活動タイマは、パケットデータネットワークのＡＡＡサーバ（Ａｕｔｈｅｎｔｉｃａｔｉｏｎ（認証）、Ａｕｔｈｏｒｉｚａｔｉｏｎ（認可）、およびＡｃｃｏｕｎｔｉｎｇ（課金））に格納されている。
【０００４】
いったんサービスの種類が判定されると、基地局制御装置は、ＡＡＡベースの非活動タイマ機能をサポートするために、パケットデータサービス非活動タイマを必要とする。ＡＡＡサーバは、パケットデータの呼設定中に受信された情報を利用して、ＡＡＡＬ（Ａｕｔｈｅｎｔｉｃａｔｉｏｎ、Ａｕｔｈｏｒｉｚａｔｉｏｎａ  ａｎｄ  Ａｃｃｏｕｎｔｉｎｇ  Ｌｏｃａｌ）データベースから、関連するパケットデータ非活動タイマを取得する。
【０００５】
現在のＩＳ−２００１（ＩＯＳ）仕様によれば、パケットデータサービングノードは、アクティブ、またはドーマントパケットデータセッション中、無線アクセスネットワークへのいかなるパケットデータパラメータまたは情報の転送も開始することができない。現在、ＩＯＳ標準は、ＲＡＮへのパケットデータセッションパラメータの転送を必要とするこの機能または任意の他の機能をサポート可能な、いかなる処理手順もサポートしていない。パケットデータサービングノード（ＰＤＳＮ）の現在の唯一の動作は、アクティブ、またはドーマントパケットデータサービスの解除を開始することである。ＰＤＳＮは、パケット制御機能（ＰＣＦ）に更新メッセージを送信することによって、この解除手順を開始する。これが、ＩＯＳ標準によって現在承認されている、更新メッセージの唯一の使用法である。
【０００６】
したがって、現在のＩＳ２００１  ＩＯＳ規格の下で、パケットデータサービングノード（ＰＤＳＮ）と無線アクセスネットワーク間の接続を全く解除しないで、ＰＤＳＮが、呼から無線アクセスネットワークまでパケットデータをサポートするのに必要な、すべて
のパケットデータパラメータの転送を開始することは非常に好都合であろう。
【発明を実施するための最良の形態】
【０００７】
パケットデータ非活動タイマは、パケットデータサービスインスタンスの非活動期間を測定するために使用されるタイマである。例えばストリーミングビデオのような遅延に影響されやすいアプリケーションは、比較的小さな非活動タイマ値を必要とするであろう。電子メールアクセスまたはウェブブラウジングのような、遅延に比較的影響されにくい他のアプリケーションは、比較的長いパケットデータ非活動タイマ値を必要とするであろう。そのため、パケットデータセッションは、所定の時間に複数のサービスインスタンスをサポートしている。
【０００８】
図１は、本発明の好ましい実施形態による移動通信システム１００を示すブロック図である。通信システム１００は、周知の米国電気通信工業会／電子工業会の仮標準２００１−Ａ（ＴＩＡ／ＥＩＡ  ＩＳ−２００１  ＩＯＳ）に従うシステムであるのが好ましい。
【０００９】
システム１００は、移動通信ネットワーク装置と移動通信装置とを有している。移動通信ネットワーク装置、すなわち通信インフラストラクチュアは、基地局（ＢＳ）１２０および１３０、移動交換局（ＭＳＣ）１１５、パケット制御機能（ＰＣＦ）１１１、およびパケットデータサービングノード（ＰＤＳＮ）１０６を有する。ＰＣＦ１１１および基地局１３０は、無線アクセスネットワーク（ＲＡＮ）１１０を構成している。
【００１０】
当該技術分野ではよく知られているように、基地局ＢＳは、基地局制御装置ＢＳＣ１３１、および１つまたは２つ以上の無線基地局システム（ＢＴＳ）１３２，１３３を有する。移動交換局（ＭＳＣ）１１５は、スイッチ１１６と呼制御装置／モビリティマネージャ１１７を有する。通信インフラストラクチュアも、ＰＤＳＮ１０６を介してインターネット１０１にネットワーク接続されているか、あるいは他のあるインターネットまたはイントラネット（図示しない）にネットワーク接続されているのが好ましい。
【００１１】
ＡＡＡＬ（Ａｕｔｈｅｎｔｉｃａｔｉｏｎ  Ａｕｔｈｏｒｉｚａｔｉｏｎ  Ａｃｃｏｕｎｔｉｎｇ  Ｌｏｃａｌ）サーバが、ＰＤＳＮ１０６に接続され、非活動タイマおよび他のパケットデータセッションパラメータを含む種々のパラメータと、パケットデータ呼をサポートするのにシステムが必要とするユーザプロファイル情報を保存する。移動局１４０は、ＣＤＭＡ２０００（ＴＩＡ／ＥＩＡ／ＩＳ−２０００）、またはＨＲＰＤ無線エアインタフェース（ＴＩＡ／ＥＩＡ／ＩＳ−８５６：ＣＤＭＡ２０００高速パケットデータエアインタフェース仕様（ＴＩＡ／ＥＩＡ／ＩＳ−８５６：ＣＤＭＡ２０００  Ｈｉｇｈ
Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ））を介して、ＢＳ１２０および１３０と通信するＣＤＭＡ対応の移動機器を有するのが好ましい。この移動機器は、セル式電話機、ポケベル、およびインターネット接続が可能な装置、またはこれらの機能のいかなる組合せであってもよい。説明を簡潔にするために、図１には２つのＢＳおよび１つのＭＳだけを示している。
【００１２】
本発明は、当業者によく知られたソフトウェア手法および技術を使用して実行されるのが好ましい。好ましい実施形態において、本発明は、記憶装置に格納されたソフトウェアを用いて、ＭＳＣ１１５、ＢＳＣ１３１、ＰＤＳＮ１０６、およびＰＣＦ１１１のプロセッサによって実行される。例えば、図２に関して説明している方法は、ＰＳＤＮ、ＰＣＦ、およびＢＳのソフトウェアで実行されるのが好ましい。
【００１３】
通常、移動局または装置１４０は、基地局１３０を通り、ＰＣＦ１１１を通り、ＰＤＳＮ１０６を経てインターネット１０１に接続している。これらのリンクを確立する際、信号情報が、基地局制御装置１３１間のＡ９とＡ１１のリンクを介して送信される。さらに
、ベアラトラフィック用に、リンクＡ８が基地局１３０とＰＣＦ１１１間で確立される。基地局１３０とＰＣＦ１１１間のリンクＡ９は、情報の信号情報に使用される。さらなるリンクが、ＰＣＦ１１１とＰＤＳＮ１０６間で確立される。ベアラトラフィック用に、リンクＡ１０がＰＣＦ１１１とＰＤＳＮ１０６間に設定され、同様に、ＰＤＳＮ１０６とＰＣＦ１１１間のリンクＡ１１が、信号情報に使用される。こうして、ベアラトラフィックを、移動局１４０とインターネット１０１間で流すことが可能になる。
【００１４】
現在のＩＳ−２００１  ＩＯＳ規格では、既存のパケットデータ接続（ドーマントまたはアクティブな状態）中に、現在の信号メッセージをＰＤＳＮからＰＣＦへ送信することによって、Ａ８とＡ１０のベアリング接続が解除される。好ましい実施形態では、ＰＤＳＮ１０６は、パケットデータサービスインスタンスに関連付けられた非活動タイマを取得し、基地局１３０にそれを送信する。２つ以上のサービスインスタンスがアクティブの場合には、ＢＳ１３０におけるパケットデータセッションは、最後の非活動タイマがタイムアウトすると、ドーマント状態に遷移する。現在のＩＯＳ規格の下で実行された場合には、リンクＡ１０は、メッセージが送信されると直ちに解除される。したがって、好ましい実施形態において、Ａ１１−登録更新メッセージは、ＰＤＳＮからＰＣＦ１１１および基地局１３０への転送を要求している非活動タイマ、サービス品質パラメータ（ＱｏＳ）、または任意の他のセッション関連のパラメータのような、セッションパラメータを転送するように修正され、そのメッセージがパケットデータセッションを解放または更新するために使用されたかどうかを表示することができる。
【００１５】
ＡＡＡベースの非活動タイマ機能は、領域、アプリケーション、またはＱｏＳパラメータに基づいた、またはサービスインスタンスに関連付けられたパケットデータセッション非活動タイマ値を静的に構成する機構を提供することによって、通信システム事業者に無線アクセスネットワーク（ＲＡＮ）１１０の無線通信資源の効率的活用を向上させる能力を提供している。パケットデータ接続に関連付けられた非活動タイマは、通信中のＢＳ１３０によって使用され、非活動タイマがタイムアウトした後、対応するパケットデータセッションをドーマント状態に遷移させる。移動局１４０が複数のアクティブなパケットデータサービスをサポートしている場合には、全体のパケットデータセッションは、最後の非活動タイマがタイムアウトしてからドーマント状態に遷移する。パケットデータ接続に関連付けられた非活動タイマが利用できない場合、またはＰＤＳＮ１０６が非活動タイマを渡さない場合には、ＢＳに事前設定されたデフォルト非活動タイマが使用される。
【００１６】
図２を参照すると、移動局１４０は、ドーマントまたはアクティブセッション１５０のいずれでもよい。本発明の好ましい実施形態において、ＰＤＳＮ１０６は、メッセージ１５１（Ａ１１−登録更新）をＰＣＦ１１１に送信し、パケットデータ非活動タイマ、ＱｏＳパラメータ、他のセッション関連のパラメータ、またはユーザプロファイル情報の値を表示する。通常、ＰＤＳＮ１０６からＰＣＦ１１１へのメッセージ１５１の送信によって、Ａ１０ベアラ接続が解除される。ＰＤＳＮ１０６は、移動局１０によってアクセスされるパケットデータサービス用非活動タイマのようなセッションパラメータを含むＡ１１−登録更新メッセージ１５１を送信するように修正される。ＰＤＳＮは、移動局によって要求された各パケットデータ接続用非活動タイマを送信する。ＰＤＳＮ１０６は、タイマＴＳＥＳＵＰＤも起動する。
【００１７】
ＰＤＳＮ１０６は、このメッセージ１５１を生成し、ＰＣＦ１１１にそれを送信する。送信されるパラメータは、非活動タイマ、サービス品質（ＱｏＳ）パラメータ、および／または他のパケットデータセッションパラメータを含んでいてもよい。非活動タイマ、および／または他のパラメータは、通常のベンダー／組織に特化した拡張子（ＮＶＳＥ）を持つ要素で送信される。図３を参照。
【００１８】
図３を参照すると、ＮＶＳＥは、メッセージが、このメッセージの現在の（仕様の）機能である接続の解除とは全く異なるものであり、パケットデータ接続を更新するためにＰＤＳＮコードが送信されているということを示すように、２０Ｈ（１６進表記）に設定されたアプリケーションデータフィールド２０５を有している。ＰＤＳＮのコード値２０Ｈは、新規な値であり、パケットデータ接続更新を示している。そのＮＶＳＥ２００を（図３に）示す。アプリケーションサブタイプフィールド２０７は、送信されたパケットデータセッションパラメータがパケットデータ非活動タイマであることを示している。アプリケーションデータフィールドは、非活動タイマ２０９の値を示している。
【００１９】
図２を再び参照すると、ＰＣＦ１１１は、ＰＣＦ１１１がＰＤＳＮコード２０Ｈを持つＡ１１−登録更新メッセージ１５１を受信すると、ＰＣＦ１１１がＰＣＦ１１１とＰＤＳＮ１０６間の接続を開放しないように修正される。
【００２０】
通常、Ａ９−更新−Ａ８メッセージは、基地局１３０からＰＣＦ１１１に送信される。本発明の好ましい実施形態では、このメッセージ１５２は双方向性メッセージであるので、ＰＣＦ１１１は、このメッセージ１５２を基地局１３０に送信する。このように、Ａ９−更新−Ａ８メッセージ１５２は、ＰＣＦ１１１から基地局１３０へのパケットセッション関連のパラメータを転送、または更新するのに使用される。これらのパラメータは、非活動タイマ、および／またはサービス品質（ＱｏＳ）パラメータのような他のパケットデータセッションパラメータを含んでいる。新しいパラメータまたは更新されたパラメータを搬送するように、新しいセッションパラメータの要素がＡ９−更新−Ａ８メッセージに追加される。メッセージ１５２の目的を示す、Ａ９−更新−Ａ８メッセージ１５２の新規な理由値２２５（図５参照、セッションパラメータ更新＝７Ｂ  １６進表記）も追加される。次に、Ａ９−更新−Ａ８メッセージ１５２は、ＰＣＦ１１１から基地局１３０に送信される。ＰＣＦ１１１はタイマＴＵＰＤ９も起動する。基地局１３０とＰＣＦ１１１間のＡ８ベアラ接続は、この好ましい実施形態をサポートするのには必要ではない。
【００２１】
Ａ９−更新−Ａ８に応答するメッセージが、通常、ＰＣＦ１１１から基地局１３０に送信され、基地局１３０は、Ａ９−更新−Ａ８メッセージを承認する。本発明の好ましい実施形態において、Ａ９−更新−Ａ８応答メッセージ１５３は、双方向性メッセージに修正される。メッセージ１５３は、逆方向に送信されたＡ９−更新−Ａ８メッセージに応答して、基地局１３０からＰＣＦ１１１に送信される。Ａ９−更新−Ａ８応答メッセージは、基地局１３０からＰＣＦ１１１に送信される。ＰＣＦ１１１は、次にタイマＴＵＰＤ９を停止する。次に、ＰＣＦ１１１は、Ａ１１−登録応答メッセージ１５４をＰＤＳＮ１０６に送信する。
【００２２】
ＢＳ１３０が、新規または更新されたセッションパラメータがなんらかの理由で承認されなかったか、拒絶されてしまったことを示すＡ９−更新−Ａ８応答メッセージを表示してＰＣＦ１１１に応答すると、ＰＣＦ１１１は、Ａ１１−登録応答メッセージの中にこれを（表示して）ＰＤＳＮ１０６に示す。
【００２３】
もしＰＣＦ１１１が、開始されたパケットセットアップについて、ＰＤＳＮ１０６にＡ１１−登録応答メッセージで応答しない場合には、ＰＤＳＮ１０６は、セッション更新手順が失敗したものと推定する。ＰＤＳＮ１０６は、ＰＣＦ１１１へのＡ１１−登録更新メッセージの再送を、構成可能な回数試みることができる。
【００２４】
上記説明で理解できるように、ＰＤＳＮ１０６、ＰＣＦ１１１、および基地局１３０に対する最低の修正で、パケットデータ非活動タイマや、サービス品質パラメータ等のような他のパケットデータセッションパラメータを、パケットデータサービングノードから無線アクセスネットワークに転送することができる。本発明の好ましい実施形態であるこれ
らの変更がなされるまでは、システムパラメータのこのような送信は可能ではなかった。ＡＡＡベースの非活動タイマ機能を、実施すると、既存のＲＡＮおよびＰＤＳＮに追加配置することができる。既存のメッセージに新しいフィールドを追加し、かつ他のメッセージを双方向性にすることによって、パケットデータサービングノードと移動無線アクセスネットワーク間のパラメータの流路について多大な利点が得られる。さらなる利点は、既存のパケットデータサーバサービングノードおよびＲＡＮの追加配置が、ＰＤＳＮのコードの要素を標準の旧バージョンのＡ１１−登録更新メッセージに追加することによって容易に達成されることである。
【００２５】
ＰＤＳＮが開始するセッション更新をサポートしない旧バージョンのソフトウェアを実行しているＰＣＦが、上記説明のように、セッション更新を示すコード値を持つＡ１１−登録更新メッセージをＰＤＳＮから受信した場合には、ＰＣＦは、そのメッセージを無視してセッション更新の試みを拒絶するが、パケットデータセッションを解除することはない。
【００２６】
さらに、ＰＣＦまたはＢＳがＰＤＳＮからの、新規なまたは更新されたセッションパラメータを承認しない場合には、ＰＣＦは、Ａ１１−登録応答メッセージの中で、このことをＰＤＳＮに表示する。
【００２７】
移動局１４０のハンドオフが発生した場合、基地局１３０は、ハンドオフ要求（ＨＯ−ＲＥＱ）メッセージ１５５を、ＭＳＣ１１５の呼制御装置／モビリティマネージャ１１７に送信する。図４を参照して、このメッセージの流れのシナリオ示す。図４のメッセージの流れのシナリオは、ステップ１５０〜１５４については図２と同一である。移動局１４０は、ドーマントまたはアクティブのいずれの状態にあってもよい。修正されたＡ１１−登録更新メッセージ１５１が、ＰＤＳＮ１０６からＰＣＦ１１１に送信される。修正されたＡ９−更新−Ａ８メッセージ１５２が、ＰＣＦ１１１から基地局１３０に送信される。修正されたＡ９−更新−Ａ８応答メッセージ１５３が、基地局１３０からＰＣＦ１１１に送信される。次に、Ａ１１−登録応答メッセージ１５４が、ＰＣＦ１１１からＰＤＳＮ１０６に送信される。
【００２８】
基地局１３０は、ハンドオフ要求メッセージを、パケットデータ非活動タイマ、および／またはＱｏＳのような他のパケットデータセッションパラメータを含む新しい要素と共に、ハンドオフ要求メッセージ１５５に入れてＭＳＣ１１５の呼制御装置／モビリティマネージャ１１７に送信する。次に、基地局１３０がソース基地局となる。ソース基地局１３０は、非活動パラメータ、またはＱｏＳのような他のパケットセッションパラメータを、ハンドオフ要求メッセージと共にＭＳＣへ渡す。次に、ＭＳＣマネージャ１１７は、ターゲット基地局１２０に送信されるハンドオフ要求（ＨＯ−ＲＥＱＵＥＳＴ）メッセージ１５６を生成する。このハンドオフ要求メッセージ１５６は、非活動タイマ、またはサービス品質情報のような他のシステムパラメータを含んでいる。
【００２９】
最小限の修正で、ソース基地局１３０はパケットデータ非活動タイマを転送し、ＭＳＣ１１５は上記の修正されたハンドオフ要求メッセージを転送し、ターゲット基地局１２０は上記の修正されたハンドオフ要求メッセージ１５を受信し処理することができることが理解できるであろう。この修正は、既存の無線通信アクセスの構成要素および移動交換局の構成要素に対して最小限の影響しか及ぼさない。さらに、既存のハンドオフ要求メッセージ１５６は、非活動タイマ、および／またはサービス品質のような任意の更新されたセッションパラメータを含むように修正される。
【００３０】
上記の修正は、既存のＲＡＮおよび移動交換装置に容易に追加配置され、ハンドオフ中のシステムパラメータの送信能力をさらに向上させる。これらの修正は、以上言及した種
々の構成要素で比較的容易に実現される。さらに、そのように修正された移動通信システムは、規格に従えば普通解除されるであろう接続を解除することなく、非活動タイマを含むシステムパラメータがパケットデータサービングノードからＲＡＮに渡されることを可能にする。
【００３１】
本発明の好ましい実施形態を図示し、その形態について詳細に説明したが、種々の修正が本発明の精神からまたは添付の請求項の範囲から逸脱することなく成されてもよいことが当業者には容易に明らかであろう。
【図面の簡単な説明】
【００３２】
【図１】本発明による移動通信システムのブロック図。
【図２】本発明の好ましい実施形態によるメッセージの流れ図。
【図３】本発明の好ましい実施形態によるＡ１１−登録更新メッセージのデータレイアウト図。
【図４】本発明の別の実施形態のメッセージの流れ図。
【図５】本発明の好ましい実施形態によるＡ９−更新−Ａ８メッセージの理由値部分のデータレイアウト図。
【図１】
2005515707.tif 000003
【図２】
2005515707.tif 000004
【図３】
2005515707.tif 000005
【図４】
2005515707.tif 000006
【図５】
2005515707.tif 000007
【国際調査報告】
2005515707.tif 000008
2005515707.tif 000009